(57)【要約】【課題】容易にポスター印刷を実行することが可能な印刷装置を提供すること。【解決手段】ＣＰＵ１１は、矩形形状の印刷データをマトリクス形状に分割して、複数の分割印刷データを生成する。ＣＰＵ１１は、複数の分割印刷データを印刷用紙の境界部で重複部を有して重なるようにつなぎ合わせるポスター印刷を行う。ＣＰＵ１１は、隣り合う印刷用紙の重複部で上側に割り当てられる分割印刷データには、境界部においてはみ出し領域の分だけ分割印刷データを印刷用紙からはみ出すことで、ふちなし印刷を行う。ＣＰＵ１１は、隣り合う印刷用紙の重複部で下側に割り当てられる分割印刷データには、境界部において重複部の分だけ分割印刷データが存在しないのりしろ部を境界部の端部に形成し、のりしろ部に隣接してはみ出し領域の分の分割印刷データを形成し、はみ出し領域の分の分割印刷データに隣接して下側の印刷用紙の分割印刷データを形成する。【選択図】図２
2011051100.tif 000002
【特許請求の範囲】
【請求項１】
矩形形状の印刷データをマトリクス形状に分割して複数の分割印刷データを生成する分割手段と、
複数の前記分割印刷データを印刷用紙の境界部で重複部を有して重なるようにつなぎ合わせることで前記印刷用紙よりも大きい出力結果を得ることが出来るように印刷を行う印刷手段とを備え、
前記分割手段は、
隣り合う前記印刷用紙の前記重複部で上側とされる前記印刷用紙に割り当てられる前記分割印刷データについては、前記境界部においてはみ出し領域の分だけ前記分割印刷データを前記印刷用紙からはみ出すことでふちなし印刷を行うように分割を行い、
隣り合う前記印刷用紙の前記重複部で下側とされる前記印刷用紙に割り当てられる前記分割印刷データについては、前記境界部において前記重複部の分だけ分割印刷データが存在しないのりしろ部を前記境界部の端部に形成し、前記のりしろ部に隣接して前記はみ出し領域の分の前記分割印刷データを形成し、前記はみ出し領域の分の前記分割印刷データに隣接して下側の前記印刷用紙の前記分割印刷データを形成するように分割を行う
ことを特徴とする印刷装置。
【請求項２】
前記分割手段は、
前記分割印刷データが前記マトリクス形状の何れの位置に対応するかに応じて、前記ふちなし印刷、前記はみ出し領域および前記のりしろ部の有無を前記分割印刷データごとに決定し、
前記ふちなし印刷、前記はみ出し領域および前記のりしろ部の有無に応じて、前記分割印刷データの分割印刷データサイズを決定する
ことを特徴とする請求項１に記載の印刷装置。
【請求項３】
複数の分割印刷データの各々は、前記出力結果を得る際につなぎ合わせる順番である一連のつなぎ合わせ順番を有し、
前記分割手段は、
隣り合う前記分割印刷データのうちの前記つなぎ合わせ順番の早い方に割り当てられる前記分割印刷データが前記のりしろ部および前記はみ出し領域の分の前記分割印刷データを有するように分割を行い、
前記つなぎ合わせ順番の遅い方に割り当てられる前記分割印刷データに前記ふちなし印刷が行われるように分割を行う
ことを特徴とする請求項１または請求項２に記載の印刷装置。
【請求項４】
前記分割手段は、
前記分割印刷データを前記印刷用紙上に配置する際に、前記分割印刷データの第１隅部を印刷開始位置として使用し、
前記印刷開始位置の第１方向の側に前記ふちなし印刷を行う場合には前記印刷開始位置を前記印刷用紙の端部から前記第１方向へ前記はみ出し領域の分だけはみ出した位置に設定し、
前記印刷開始位置の前記第１方向の側に前記のりしろ部を形成する場合には前記印刷開始位置を前記印刷用紙の端部から前記第１方向へ前記のりしろ部の分だけ内側の位置に設定し、
前記印刷開始位置の第２方向の側に前記ふちなし印刷を行う場合には前記印刷開始位置を前記印刷用紙の端部から前記第２方向へ前記はみ出し領域の分だけはみ出した位置に設定し、
前記印刷開始位置の前記第２方向の側に前記のりしろ部を形成する場合には前記印刷開始位置を前記印刷用紙の端部から前記第２方向へ前記のりしろ部の分だけ内側の位置に設定する
ことを特徴とする請求項１ないし請求項３の何れかに記載の印刷装置。
【請求項５】
前記分割手段は、
前記分割印刷データが前記印刷データの外周縁部を含む場合には、前記外周縁部と前記印刷用紙の端部との間に余白部が形成されるように分割を行う
ことを特徴とする請求項１ないし請求項４の何れかに記載の印刷装置。
【請求項６】
前記分割手段は、
前記印刷開始位置の前記第１方向の側に前記余白部を形成する場合には前記印刷開始位置を前記印刷用紙の端部から前記第１方向へ前記余白部の分だけ内側の位置に設定し、
前記印刷開始位置の前記第２方向の側に前記余白部を形成する場合には前記印刷開始位置を前記印刷用紙の端部から前記第２方向へ前記余白部の分だけ内側の位置に設定する
ことを特徴とする請求項５に記載の印刷装置。
【請求項７】
前記分割手段は、
前記印刷用紙の第１方向長さから、前記のりしろ部が存在する場合には前記のりしろ部の長さを引き、前記余白部が存在する場合には前記余白部の長さを引き、前記はみ出し領域が存在する場合には前記はみ出し領域の長さを足すことで、前記印刷用紙上で印刷可能な印刷領域の第１方向長さを求め、
求められた前記印刷領域の第１方向長さを前記印刷データに対する前記出力結果の拡大率で除することにより、前記分割印刷データサイズの第１方向長さを決定し、
前記印刷用紙の第２方向長さから、前記のりしろ部が存在する場合には前記のりしろ部の長さを引き、前記余白部が存在する場合には前記余白部の長さを引き、前記はみ出し領域が存在する場合には前記はみ出し領域の長さを足すことで、前記印刷領域の第２方向長さを求め、
求められた前記印刷領域の第２方向長さを前記拡大率で除することにより、前記分割印刷データサイズの第２方向長さを決定する、
ことを特徴とする請求項５または請求項６に記載の印刷装置。
【請求項８】
前記拡大率は、
前記印刷領域を前記拡大率で除して得られた前記分割印刷データサイズを、前記はみ出し領域が無いように重ねて得られた合成印刷データの範囲が、前記印刷データの範囲を超えないように定められる
ことを特徴とする請求項７に記載の印刷装置。
【請求項９】
前記分割手段は、
前記のりしろ部を形成する領域の前記分割印刷データの濃度を検出する濃度検出手段を備え、
前記濃度検出手段で検出される濃度が予め定められる所定値よりも薄い場合には、前記のりしろ部と前記分割印刷データとの境界を示す境界線を生成する
ことを特徴とする請求項１ないし請求項８の何れかに記載の印刷装置。
【請求項１０】
前記分割手段によって生成された分割印刷データに基づいて読み取り範囲を決定する読み取り部
を備えることを特徴とする請求項１ないし請求項９の何れかに記載の印刷装置。
【請求項１１】
前記分割手段は、
前記印刷データをＮ×Ｎ（Ｎは１以上の自然数）の前記マトリクス形状に分割し、
前記Ｎの値が２のときに生成される４つの前記分割印刷データの各々についての前記ふちなし印刷、前記はみ出し領域および前記のりしろ部の設定は全て異なる設定とされ、
前記Ｎの値が３のときに生成される９つの前記分割印刷データの各々についての前記ふちなし印刷、前記はみ出し領域および前記のりしろ部の設定は全て異なる設定とされる
ことを特徴とする請求項１ないし請求項１０の何れかに記載の印刷装置。
【請求項１２】
複数の前記分割印刷データを印刷用紙の境界部で重複部を有して重なるようにつなぎ合わせることで前記印刷用紙よりも大きい出力結果を得ることが出来るように印刷を行う印刷手段を制御するプログラムであって、
矩形形状の印刷データをマトリクス形状に分割して複数の分割印刷データを生成する分割手段を備え、
前記分割手段は、
隣り合う前記印刷用紙の前記重複部で上側とされる前記印刷用紙に割り当てられる前記分割印刷データについては、前記境界部においてはみ出し領域の分だけ前記分割印刷データを前記印刷用紙からはみ出すことでふちなし印刷を行うように分割を行い、
隣り合う前記印刷用紙の前記重複部で下側とされる前記印刷用紙に割り当てられる前記分割印刷データについては、前記境界部において前記重複部の分だけ分割印刷データが存在しないのりしろ部を前記境界部の端部に形成し、前記のりしろ部に隣接して前記はみ出し領域の分の前記分割印刷データを形成し、前記はみ出し領域の分の前記分割印刷データに隣接して下側の前記印刷用紙の前記分割印刷データを形成するように分割を行う
ことを特徴とするプログラム。
【発明の詳細な説明】
【技術分野】
【０００１】
本発明は、容易にポスター印刷を実行することが可能な印刷装置に関するものである。
【背景技術】
【０００２】
プリンタが印刷できる用紙以上の大きさの出力結果を得るために、１ページ分の印刷データを複数の用紙に分割して印刷し、それらをつなぎ合わせることで大きい出力結果を得ることが出来る印刷機能（ポスター印刷機能）を有するプリンタあるいはプリントシステムがある。
【先行技術文献】
【特許文献】
【０００３】
【特許文献１】特開２０００−２５２７７号公報
【発明の概要】
【発明が解決しようとする課題】
【０００４】
しかしながら、縁なし印刷を行わずにポスター印刷を行った場合、各用紙に余白の部分が存在するため、用紙をつなぎ合わせて大きな出力結果を得るためには、それらの余白をはさみ等を用いて裁断する必要があった。
本明細書では、このような不便性を解消することができる技術を提供する。
【課題を解決するための手段】
【０００５】
本目的を達成するために、本発明の印刷装置は、矩形形状の印刷データをマトリクス形状に分割して複数の分割印刷データを生成する分割手段と、複数の分割印刷データを印刷用紙の境界部で重複部を有して重なるようにつなぎ合わせることで印刷用紙よりも大きい出力結果を得ることが出来るように印刷を行う印刷手段とを備え、分割手段は、隣り合う印刷用紙の重複部で上側とされる印刷用紙に割り当てられる分割印刷データについては、境界部においてはみ出し領域の分だけ分割印刷データを印刷用紙からはみ出すことでふちなし印刷を行うように分割を行い、隣り合う印刷用紙の重複部で下側とされる印刷用紙に割り当てられる分割印刷データについては、境界部において重複部の分だけ分割印刷データが存在しないのりしろ部を境界部の端部に形成し、のりしろ部に隣接してはみ出し領域の分の分割印刷データを形成し、はみ出し領域の分の分割印刷データに隣接して下側の印刷用紙の分割印刷データを形成するように分割を行うことを特徴とする。
【発明の効果】
【０００６】
請求項１記載の印刷装置によれば、複数の分割印刷データを印刷用紙の境界部で重複部を有して重なるようにつなぎ合わせる際に、重複部の上側の印刷用紙にふちなし印刷が行われているため、余白をはさみ等を用いて裁断する必要がない。よってユーザの利便性を高めることができる。また、重複部を有して印刷用紙を重ねる際に、重複部の下側の印刷用紙には、分割印刷データが存在しないのりしろ部が存在する。よって、印刷データが印刷された領域を２重に重ね合わせることが防止されるため、重複部の印刷が濃く見えてしまう事態を防止することができる。
【０００７】
請求項２記載の印刷装置によれば、分割印刷データごとに、ふちなし印刷、はみ出し領域およびのりしろ部の有無を決定することができる。よって、分割印刷データごとに、分割印刷データサイズを決定することが可能となる。
【０００８】
請求項３記載の印刷装置によれば、つなぎ合わせ順番に応じて、重複部にふちなし印刷が行われるのか、または、重複部にのりしろ部およびはみ出し領域を形成するのか、を決定することができる。よって重複部において、ふちなし印刷と、のりしろ部およびはみ出し領域と、の組合せを形成することができるため、余白を裁断する必要性を無くすことができ、ユーザの利便性を高めることができる。
【０００９】
請求項４記載の印刷装置によれば、印刷開始位置を用いて、分割印刷データを印刷用紙上に配置する。ここで印刷開始位置としては、例えば、矩形形状の分割印刷データの四隅のうちの何れか一つを用いることが挙げられる。そして、はみ出し領域およびのりしろ部の有無に応じて印刷開始位置を印刷用紙上で移動させることにより、分割印刷データを印刷用紙上に適切に配置することが可能となる。
【００１０】
請求項５記載の印刷装置によれば、印刷データの外周縁部と印刷用紙の端部との間に余白部が形成されるため、出力結果において外周縁部がふちなし印刷とされることが防止される。よって、確実に印刷データの全てを印刷することが可能となる。
【００１１】
請求項６記載の印刷装置によれば、印刷開始位置を用いて、分割印刷データを印刷用紙上に配置する。そして、余白部の有無に応じて印刷開始位置を印刷用紙上で移動させることにより、分割印刷データを印刷用紙上に適切に配置することが可能となる。
【００１２】
請求項７記載の印刷装置では、印刷用紙上で印刷可能な領域である印刷領域の第１方向長さおよび第２方向長さを求めることができるため、印刷領域のサイズを求めることができる。そして、求めた印刷領域のサイズと拡大率（印刷データに対する出力結果の拡大率）から、分割印刷データサイズを決定することが可能となる。
【００１３】
請求項８記載の印刷装置では、合成印刷データが生成される。合成印刷データは、はみ出し領域が無いように重ねて得られたデータであり、重複部分のない読み取り範囲全体を表すデータである。そして、合成印刷データの範囲が印刷データの範囲を超えないように拡大率を決めることにより、印刷データの一部が欠損する事態を防止することができる。
【００１４】
請求項９記載の印刷装置によれば、のりしろ部を形成する領域の分割印刷データの濃度が所定値よりも薄い場合には、境界線が生成される。よって、印刷データの濃度が薄いために印刷データと余白部分との境界が分かりにくくなる結果、のりしろ部の位置が分からなくなるといった事態を避けることが可能となる。
【００１５】
請求項１０記載の印刷装置は、読み取り部を備える。読み取り部の一例としては、スキャナが挙げられる。そして、読み取り部の読み取り範囲を、分割印刷データに基づいて決定することができる。
【００１６】
請求項１１記載の印刷装置によれば、印刷データを２×２や３×３のマトリクス形状に分割する際には、ふちなし印刷、はみ出し領域およびのりしろ部の設定は全て異なる設定とされる。よって、分割印刷データごとに、分割印刷データサイズを決定することが可能となる。
【図面の簡単な説明】
【００１７】
【図１】ＭＦＰ１の電気的構成を示すブロック図である。
【図２】ポスター印刷のフロー図である。
【図３】印刷領域の決定のフロー図である。
【図４】パラメータ決定および分割処理のフロー図である。
【図５】合成処理および印刷処理のフロー図である。
【図６】印刷領域を説明するイメージ図である。
【図７】分割印刷データの一例を示す図である。
【図８】本実施形態における印刷領域の説明例を示す図である。
【図９】本実施形態における各種の計算結果を示す表である。
【発明を実施するための最良の形態】
【００１８】
以下、本発明の好ましい実施形態について、添付図面を参照して説明する。図１は、本発明の実施形態における多機能周辺装置（以下、「ＭＦＰ（ＭｕｌｔｉＦｕｎｃｔｉｏｎ Ｐｅｒｉｐｈｅｒａｌ）」と称す）１の電気的構成を示すブロック図である。
【００１９】
このＭＦＰ１は、電話機能、ファクシミリ機能、プリント機能、スキャナ機能、及び、コピー機能などの各種機能を有する多機能周辺装置である。さらに、本実施形態におけるＭＦＰ１は、スキャナ２０により読み取った原稿画像を拡大し、その拡大画像を、縦Ｎページ横Ｎページの、合計Ｎ×Ｎページの印刷用紙に分割して印刷するポスター印刷機能を備える（枚数Ｎは１以上の自然数）。ポスター印刷機能は、プリンタが印刷できる印刷用紙以上の大きさの出力結果を得るために、１ページ分の印刷データを複数の用紙に分割して印刷し、それらをつなぎ合わせることで大きい出力結果を得ることが出来る印刷機能である。
【００２０】
図１に示すように、ＭＦＰ１は、ＣＰＵ１１、ＥＥＰＲＯＭ１２、ＲＡＭ１３、操作キー１５、ＬＣＤ１６、スキャナ２０、プリンタ２１、ＮＣＵ２３、モデム２４などを主に有している。このうち、ＣＰＵ１１、ＥＥＰＲＯＭ１２、ＲＡＭ１３は、バスライン２６を介して互いに接続されている。また、操作キー１５、ＬＣＤ１６、スキャナ２０、プリンタ２１、ＮＣＵ２３、モデム２４、バスライン２６は、入出力ポート２７を介して互いに接続されている。
【００２１】
ＣＰＵ１１は、ＥＥＰＲＯＭ１２やＲＡＭ１３に記憶される固定値やプログラム或いは、ＮＣＵ２３を介して送受信される各種信号に従って、ＭＦＰ１が有している各機能の制御や、入出力ポート２７と接続された各部を制御するものである。
【００２２】
ＥＥＰＲＯＭ１２は、ＣＰＵ１１によって実行される制御プログラムや固定値データ等を書き換え可能に記憶すると共に、電源遮断後も内容を保持可能な不揮発性のメモリである。さらに、本実施形態のＭＦＰ１では、ＥＥＰＲＯＭ１２に、後述する印刷領域テーブルが記憶される。印刷領域テーブルは、後述する印刷領域ＬＡ１ないしＬＡ９を規定するテーブルである。
【００２３】
ＲＡＭ１３は、書き替え可能な揮発性のメモリであり、ＭＦＰ１の各操作の実行時に各種のデータを一時的に記憶するためのメモリである。所定の読み取り位置（図示せず）に載置された原稿をスキャナ２０で読み取ることにより取得された読取データは、ＲＡＭ１３に格納される。また、ＲＡＭ１３には、後述する分割印刷データがスキャナ２０により取得され、格納される。ＲＡＭ１３に格納された分割印刷データは、プリンタ２１へ出力される。
【００２４】
操作キー１５は、ファクシミリ機能を利用する場合に電話番号を入力するための数字ボタンや、ＭＦＰ１の電源のオン／オフを行うための電源ボタンなどの各種ボタンが設けられている。ＬＣＤ１６は、ＬＣＤパネル（図示せず）を有し、ＭＦＰ１は、そのＬＣＤパネルに操作手順や実行中の処理の状態を表示させる。スキャナ２０は、原稿画像を読み取り、読取データを取得する画像読取ユニットと、プラテンガラスとを主に備え、プラテンガラス上に載置された原稿画像を読み取る、いわゆるフラッドベッドスキャナとして構成されている。本実施形態では、フラッドベッドのサイズがＡ４サイズである場合を説明する。なお、スキャナ２０には自動原稿送り機構が設けられていても良い。プリンタ２１は、入力される印刷画像データに基づいて、印刷用紙に画像を印刷する。
【００２５】
ＮＣＵ２３は、図示しない電話回線網と接続されており、電話回線網へのダイヤル信号の送出や、電話回線網からの呼出信号の応答などの制御を行って、電話回線網に接続された外部装置（図示せず）との接続を制御するものである。モデム２４は、ファクシミリ機能により送信が指示された画像データを変調してＮＣＵ２３を介して送信したり、ＮＣＵ２３を介して入力された信号を受信し、プリンタ２１で記録可能な画像データに復調するものである。
【００２６】
図２を用いて、ポスター印刷のフローを説明する。本実施形態の説明例では、枚数Ｎ＝２とされ、２×２のマトリクス形状のポスター印刷が行われる場合を説明する。また、本実施形態の説明例では、印刷用紙がＡ４サイズ（ｘ方向（主走査方向）長さ＝２１０ｍｍ、ｙ方向（副走査方向）長さ＝２９７ｍｍ）とされる場合を説明する。
【００２７】
Ｓ１０１において、印刷領域の決定が行われる。印刷領域について説明する。ポスター印刷では、ポスターに拡大される前の原稿の印刷データを、Ｎ×Ｎ（Ｎは１以上の自然数）のマトリクス形状に分割し、分割印刷データを生成する。そして、分割印刷データの各々を、印刷用紙に拡大して印刷する。このとき、印刷用紙において印刷が行われる領域である印刷領域の種類には、図６に示すように、９種類の印刷領域ＬＡ１ないしＬＡ９が存在する。
【００２８】
印刷領域ＬＡ１ないしＬＡ９を説明する。印刷用紙には、上下左右にそれぞれ端部がある。そして、端部のそれぞれに、のりしろ部Ｘ、余白部Ｙ、はみ出し領域Ｚの何れかが形成される。そして、印刷用紙の領域からのりしろ部Ｘおよび余白部Ｙを除き、はみ出し領域Ｚを加えることで、印刷領域の形状が決定される。
【００２９】
はみ出し領域Ｚについて説明する。ポスターの形成時には、複数の印刷用紙が、印刷用紙の境界部で重複部を有して重なるようにつなぎ合わせられる。このとき、隣り合う印刷用紙の重複部で上側とされる印刷用紙（つなぎ合わせ順番の遅い方）に割り当てられる印刷領域については、境界部においてはみ出し領域Ｚの分だけ分割印刷データを印刷用紙からはみ出すことで、ふちなし印刷が行われる。図６において、ハッチング部分は、ふちなし印刷により印刷用紙に印刷されない領域である。本実施形態では、はみ出し領域長さＬＺが２．５（ｍｍ）の場合を説明する。また、ふちなし印刷により印刷されない領域の処理については、後述する。
【００３０】
また、のりしろ部Ｘについて説明する。隣り合う印刷用紙の重複部で下側とされる印刷用紙（つなぎ合わせ順番の早い方）に割り当てられる印刷領域については、境界部において重複部の分だけ分割印刷データが存在しないのりしろ部Ｘが境界部の端部に形成される。本実施形態では、のりしろ部Ｘの幅が１０（ｍｍ）の場合を説明する。
【００３１】
また、余白部Ｙについて説明する。印刷領域が原稿の外周縁部を含む場合には、外周縁部と印刷用紙の端部との間に余白部Ｙが形成される。本実施形態では、余白部Ｙの幅が３（ｍｍ）の場合を説明する。
【００３２】
図６の例では、印刷領域ＬＡ１において、上端Ｕ１および左端Ｌ１には余白部Ｙが形成され、右端Ｒ１および下端Ｄ１にはのりしろ部Ｘが形成される。また印刷領域ＬＡ２において、左端Ｌ２にははみ出し領域Ｚが形成され、上端Ｕ２には余白部Ｙが形成され、右端Ｒ２および下端Ｄ２にはのりしろ部Ｘが形成される。以下同様にして、印刷領域ＬＡ１ないしＬＡ９の各端部には、それぞれ異なる形態で、のりしろ部Ｘ、余白部Ｙ、はみ出し領域Ｚが形成される。そして、９種類の印刷領域ＬＡ１ないしＬＡ９から選択された印刷領域を有する印刷用紙を、一連のつなぎ合わせ順番に従ってつなぎ合わせることで、ポスターを形成することができる。
【００３３】
例えば、２×２のマトリクス形状のポスター印刷を行う場合には、印刷領域ＬＡ１、ＬＡ３、ＬＡ７、ＬＡ９の４種類の印刷領域が選択され、選択された順番と同一のつなぎ合わせ順番でつなぎ合わされる。なお、枚数Ｎ＝２のときに使用される４つの印刷領域は、全て異なる種類とされる。
【００３４】
また、３×３のマトリクス形状のポスター印刷を行う場合には、印刷領域ＬＡ１ないしＬＡ９の９種類の印刷領域が選択され、選択された順番と同一のつなぎ合わせ順番でつなぎ合わされる。また、枚数Ｎ＝３のときに使用される９つの印刷領域は、全て異なるレイアウトとされる。
【００３５】
また、４×４のマトリクス形状のポスター印刷を行う場合には、印刷領域ＬＡ１ないしＬＡ９の９種類の印刷領域が合計１６個選択され、ＬＡ１、ＬＡ２、ＬＡ２、ＬＡ３、ＬＡ４、ＬＡ４、ＬＡ５、ＬＡ５、ＬＡ５、ＬＡ５、ＬＡ６、ＬＡ６、ＬＡ７、ＬＡ８、ＬＡ８、ＬＡ９、のつなぎ合わせ順番でつなぎ合わされる。
【００３６】
また、５×５のマトリクス形状のポスター印刷を行う場合には、印刷領域ＬＡ１ないしＬＡ９の９種類の印刷領域が合計２５個選択され、ＬＡ１、ＬＡ２、ＬＡ２、ＬＡ２、ＬＡ３、ＬＡ４、ＬＡ４、ＬＡ４、ＬＡ５、ＬＡ５、ＬＡ５、ＬＡ５、ＬＡ５、ＬＡ５、ＬＡ５、ＬＡ５、ＬＡ５、ＬＡ６、ＬＡ６、ＬＡ６、ＬＡ７、ＬＡ８、ＬＡ８、ＬＡ８、ＬＡ９、のつなぎ合わせ順番でつなぎ合わされる。
【００３７】
なお、ポスター印刷を完成させるための印刷領域およびつなぎ合わせ順番には各種のバリエーションがある。よって、図６の印刷領域は一例である。
【００３８】
Ｓ１０１（図２）で行われる、印刷領域の決定のフローを、図３を用いて説明する。Ｓ１において、ＣＰＵ１１は、変数ｉ、ｊの初期化を行う。変数ｉ、ｊは、Ｎ×Ｎのマトリクス形状に並べられた印刷用紙から、１の印刷用紙を選択するための変数である。変数ｉは主走査方向（ｘ方向）の印刷用紙を特定するための変数であり、変数ｊは副走査方向（ｙ方向）の印刷用紙を特定するための変数である。初期化動作では、変数ｉ＝１，ｊ＝１にリセットされる。
【００３９】
Ｓ３において、ＣＰＵ１１は、ポスターのサイズ決定を受け付ける。ポスターのサイズ決定では、ポスターを構成するために、縦方向および横方向にＮページ分の印刷用紙を並べる際の枚数Ｎの値が決定される。枚数Ｎは、例えばユーザによって操作キー１５などから入力されるとしてもよい。これにより、ポスター印刷に必要な印刷用紙の枚数が、Ｎ×Ｎ枚として求められる。本実施形態の説明例では、枚数Ｎ＝２の場合を説明している。よって、図８に示すように、２×２のマトリクス形状に並べられた４枚の印刷用紙ＰＰ１ないしＰＰ４が、ポスター印刷に使用される。
【００４０】
Ｓ５ないしＳ２１において、印刷用紙がマトリクス形状の何れの位置に対応するかに応じて、印刷用紙ごとに印刷領域が決定される。印刷領域の決定は、ＥＥＰＲＯＭ１２に記憶される印刷領域テーブル（不図示）を用いて行われる。印刷領域テーブルは、変数ｉ、ｊと印刷領域との相関を規定するテーブルである。そして、指定された印刷用紙について、印刷領域ＬＡ１ないしＬＡ９の何れを適用するかが印刷領域テーブルを用いて決定される。
【００４１】
Ｓ５において、ＣＰＵ１１は、ｉ＝１かつｊ＝１に対応する印刷用紙が存在する場合（Ｓ５：ＹＥＳ）には、Ｓ６へ進み、印刷領域ＬＡ１を適用した上で、Ｓ３１へ進む。Ｓ７において、ＣＰＵ１１は、ｉ＝１かつｊ＝Ｎに対応する印刷用紙が存在する場合（Ｓ７：ＹＥＳ）には、Ｓ８に進み、印刷領域ＬＡ７を適用した上で、Ｓ３１へ進む。Ｓ９において、ＣＰＵ１１は、ｉ＝Ｎかつｊ＝１に対応する印刷用紙が存在する場合（Ｓ９：ＹＥＳ）には、Ｓ１０に進み、印刷領域ＬＡ３を適用した上で、Ｓ３１へ進む。Ｓ１１において、ＣＰＵ１１は、ｉ＝Ｎかつｊ＝Ｎに対応する印刷用紙が存在する場合（Ｓ１１：ＹＥＳ）には、Ｓ１２に進み、印刷領域ＬＡ９を適用した上で、Ｓ３１へ進む。Ｓ１３において、ＣＰＵ１１は、ｉ=１かつ２≦ｊ≦(Ｎ−１) に対応する印刷用紙が存在する場合（Ｓ１３：ＹＥＳ）には、Ｓ１４に進み、印刷領域ＬＡ４を適用した上で、Ｓ３１へ進む。Ｓ１５において、ＣＰＵ１１は、２≦ｉ≦(Ｎ−１)かつｊ=１に対応する印刷用紙が存在する場合（Ｓ１５：ＹＥＳ）には、Ｓ１６に進み、印刷領域ＬＡ２を適用した上で、Ｓ３１へ進む。Ｓ１７において、ＣＰＵ１１は、ｉ=Ｎかつ２≦ｊ≦(Ｎ−１) に対応する印刷用紙が存在する場合（Ｓ１７：ＹＥＳ）には、Ｓ１８に進み、印刷領域ＬＡ６を適用した上で、Ｓ３１へ進む。Ｓ１９において、ＣＰＵ１１は、２≦ｉ≦(Ｎ−１)かつｊ=Ｎに対応する印刷用紙が存在する場合（Ｓ１９：ＹＥＳ）には、Ｓ２０に進み、印刷領域ＬＡ８を適用した上で、Ｓ３１へ進む。
【００４２】
Ｓ２１に進むと、ＣＰＵ１１は、２≦ｉ≦(Ｎ−１)かつ２<ｉ<(Ｎ−１)に対応する印刷用紙であると判断し、印刷領域ＬＡ５を適用した上で、Ｓ３１へ進む。
【００４３】
本実施形態の例では、２×２の印刷用紙の場合を説明している。よって、印刷用紙ＰＰ１（ｉ＝１，ｊ＝１）（図８）について、Ｓ５において、印刷領域ＬＡ１が適用される。次に、印刷用紙ＰＰ２（ｉ＝２，ｊ＝１）について、Ｓ９において、印刷領域ＬＡ３が適用される。次に、印刷用紙ＰＰ３（ｉ＝１，ｊ＝２）について、Ｓ７において、印刷領域ＬＡ７が適用される。次に、印刷用紙ＰＰ４（ｉ＝２，ｊ＝２）について、Ｓ１１において、印刷領域ＬＡ９が適用される。
【００４４】
Ｓ１０３（図２）において、読取動作で使用するパラメータが決定される。読取動作で使用するパラメータには、印刷領域のサイズ、拡縮率決定用印刷領域、拡縮率Ｋ、などがある。Ｓ１０３における動作を、図４（Ａ）を用いて説明する。
【００４５】
Ｓ３１において、ＣＰＵ１１は、印刷領域のサイズの決定を行う。後述するＳ１０７およびＳ１０９によって行われるループ処理により、印刷用紙が１つずつ指定され、印刷領域のサイズが決定される。これは、印刷用紙の印刷領域の形状が印刷用紙ごとに異なる場合があるためである。印刷領域のサイズは、主走査方向（ｘ方向）の辺長である印刷領域ｘ方向長さPrintMain_ijと、副走査方向（ｙ方向）の辺長である印刷領域ｙ方向長さPrintSub_ijとによって定められる。なお、本実施形態では、変数ｉ、ｊを用いて、一般化して記載する。
【００４６】
印刷領域ｘ方向長さPrintMain_ijの求め方を説明する。印刷領域ｘ方向長さPrintMain_ijは、印刷用紙ｘ方向長さPaperSizeMainから、のりしろ部Ｘが存在する場合にはのりしろ部長さＬＸを引き、余白部Ｙが存在する場合には余白部長さＬＹを引き、はみ出し領域Ｚが存在する場合にははみ出し領域長さＬＺを足すことで得られる。よって、下式（１）で表される。
PrintMain_ij＝PaperSizeMain-LX-LY+LZ  …式（１）
同様にして、印刷領域ｙ方向長さPrintSub_ijは、下式（２）で表される。
PrintSub_ij＝PaperSizeSub-LX-LY+LZ  …式（２）
【００４７】
本実施形態の説明例では、図８に示すように、印刷領域ＬＡ１、ＬＡ３、ＬＡ７、ＬＡ９を備える場合を説明している。よって、式（１）および式（２）を用いることにより、図９（Ａ）の表に示すように、各々の印刷領域についてのサイズが得られる。
【００４８】
Ｓ３３において、ＣＰＵ１１は、拡縮率決定用印刷領域（拡縮率決定用印刷領域ｘ方向全体長さPrintMainKaku、拡縮率決定用印刷領域ｙ方向全体長さPrintSubKaku）の決定を行う。拡縮率決定用印刷領域は、はみ出し領域Ｚがない場合において、印刷用紙が全てつなぎ合わされた場合の印刷領域の全体サイズであり、後述する拡縮率Ｋを求める際に使用されるパラメータである。拡縮率決定用印刷領域の求め方を、具体的に説明する。後述するＳ１０７およびＳ１０９によって行われるループ処理により、印刷用紙が１つずつ指定され、拡縮率決定用印刷領域のサイズが決定される。各々の印刷用紙における、拡縮率決定用印刷領域ｘ方向長さPrintMainKaku_ijは、下式（３）で表される。
PrintMainKaku_ij＝PaperSizeMain-LX-LY  …式（３）
同様に、拡縮率決定用印刷領域ｙ方向長さPrintSubKaku_ijは、下式（４）で表される。
PrintSubKaku_ij＝PaperSizeSub-LX-LY  …式（４）
そして、拡縮率決定用印刷領域ｘ方向長さPrintMainKaku_ijを、ｘ方向に並んだ各印刷用紙について積算することで、拡縮率決定用印刷領域ｘ方向全体長さPrintMainKakuが求められる。また、拡縮率決定用印刷領域ｙ方向長さPrintSubKaku_ijを、ｙ方向に並んだ各印刷用紙について積算することで、拡縮率決定用印刷領域ｙ方向全体長さPrintSubKakuが求められる。
【００４９】
本実施形態の説明例では、図９（Ｂ）に示すように、印刷領域ＬＡ１、ＬＡ３、ＬＡ７、ＬＡ９の各々について、拡縮率決定用印刷領域ｘ方向長さPrintMainKaku_ijと、拡縮率決定用印刷領域ｙ方向長さPrintSubKaku_ijが求められる。よって、拡縮率決定用印刷領域ｘ方向全体長さPrintMainKaku＝１９７．０＋２０７．０＝４０４．０（ｍｍ）、が求められる。また、拡縮率決定用印刷領域ｙ方向全体長さPrintSubKaku＝２８４．０＋２９４．０＝５７８．０（ｍｍ）、が求められる。
【００５０】
Ｓ３５において、ＣＰＵ１１は、拡縮率Ｋを決定する。拡縮率Ｋは、原稿の大きさに対するポスターの大きさの拡大率である。拡縮率Ｋは、辺の長さの比率で定められる。のりしろ部などを考慮しない場合における、拡縮率Ｋの理論値は、２×２のポスター印刷の場合には２００（％）となり、３×３のポスター印刷の場合には３００（％）となる。しかし、本願に係るポスター印刷では、のりしろ部などの重複部分が存在するため、拡縮率Ｋは理論値より小さい値になる。
【００５１】
拡縮率Ｋの決定方法を、以下に説明する。スキャナ２０には、最大読取範囲（ｘ方向最大読取範囲ScanMain、ｙ方向最大読取範囲ScanSub）が存在する。ここで最大読取範囲は、スキャナ２０で原稿を読み取ることが可能な最大の範囲である。また、前述した拡縮率決定用印刷領域と拡縮率Ｋとから、算出読取範囲（ｘ方向算出読取範囲CalScanMain、ｙ方向算出読取範囲CalScanSub）を算出することができる。ここで算出読取範囲は、スキャナ２０において、実際に原稿を読み取る必要がある範囲であり、下式（５）、式（６）で求められる。
CalScanMain＝PrintMainKaku／Ｋ×１００ …式（５）
CalScanSub＝PrintSubKaku／Ｋ×１００  …式（６）
そして、算出読取範囲が、最大読取範囲を超えない範囲で最も最大読取範囲に近くなるように、拡縮率Ｋの値を決定する。これは、算出読取範囲が最大読取範囲を超えてしまうと、実際のスキャン動作時に読み取れない領域が発生してしまうためである。
【００５２】
本実施形態で用いられる、拡縮率Ｋの決定方法を説明する。まず、拡縮率Ｋの値を振り、拡縮率Ｋの値のそれぞれについて算出読取範囲を算出する次に、算出された算出読取範囲の各々と最大読取範囲とを比較し、最大読取範囲を超えない範囲で最も最大読取範囲に近い算出読取範囲を選択する。そして、選択された算出読取範囲に用いられる拡縮率Ｋに決定され、フローが終了する。
【００５３】
本実施形態の説明例における、拡縮率Ｋの決定方法を説明する。本実施形態では、スキャナ２０の最大読取サイズがＡ４サイズである場合を説明する。また、スキャナ２０の読取範囲が、原稿の外周部において縦横３ｍｍずつを抜かす場合を説明する。この場合、ｘ方向最大読取範囲ScanMain＝２１０−３−３＝２０４．０（ｍｍ）、となる。また、ｙ方向最大読取範囲ScanSub＝２９７−３−３＝２９１．０（ｍｍ）、となる。
【００５４】
そして、２×２のポスター印刷の場合を説明しているため、拡縮率Ｋを２００（％）以下の任意の値で振り、算出読取範囲を算出する。本実施形態では、拡縮率Ｋを１９９（％）、１９８（％）、１９７（％）に振る場合を説明する。それぞれの拡縮率Ｋにおける算出読取範囲の計算結果を、図９（Ｃ）に示す。図９（Ｃ）より、拡縮率Ｋ＝１９７（％）、１９８（％）のときは、算出読取範囲が最大読取範囲を超えるため、不適切である事が分かる。また、拡縮率Ｋ＝１９９（％）の場合が、最大読取範囲を超えない範囲で最も最大読取範囲に近い算出読取範囲が得られる場合であることが分かる。よって、拡縮率Ｋ＝１９９（％）が採用される。
【００５５】
Ｓ１０３（図２）が終了すると、Ｓ１０７において、ＣＰＵ１１は、変数ｉが枚数Ｎまで到達したか否かを判断する。到達していないと判断される場合（Ｓ１０７：ＮＯ）にはＳ１０８へ進み、変数ｉを１カウントアップした上でＳ１０１へ戻る。一方、到達していると判断される場合（Ｓ１０７：ＹＥＳ）には、Ｓ１０９へ進む。
【００５６】
Ｓ１０９において、ＣＰＵ１１は、変数ｊが枚数Ｎまで到達したか否かを判断する。到達していないと判断される場合（Ｓ１０９：ＮＯ）にはＳ１１０ヘ進み、変数ｊを１カウントアップした上でＳ１０１へ戻る。一方、到達していると判断される場合（Ｓ１０９：ＹＥＳ）には、Ｓ１１５へ進む。
【００５７】
これにより、Ｓ１０１およびＳ１０３のステップを、マトリクス形状に並べられた全ての印刷用紙について１つずつ行うことにより、全ての印刷用紙に対して印刷領域を決定することができる。
【００５８】
Ｓ１１５（図２）における分割処理を、図４（Ｂ）を用いて説明する。分割処理は、ポスターに拡大される前の原稿の印刷データを、Ｎ×Ｎのマトリクス形状に分割する処理である。
【００５９】
Ｓ４５において、ＣＰＵ１１は、分割印刷データの範囲を決定する。分割印刷データの範囲の決定方法を、本実施形態の説明例を用いて説明する。図７は、原稿の印刷データＰＤから、分割印刷データＳＡ１ないしＳＡ４を分割した図である。分割印刷データＳＡ１ないしＳＡ４の各々は、図８の印刷用紙ＰＰ１ないしＰＰ４に対応している。分割印刷データの範囲は、分割サイズと、分割開始位置の２つのパラメータを用いて規定することができる。
【００６０】
分割サイズ（分割範囲ｘ方向長さScanMain_ij、分割範囲ｙ方向長さScanSub_ij）の決定方法を説明する。分割範囲ｘ方向長さScanMain_ijは、印刷領域ｘ方向長さPrintMain_ijを、拡縮率Ｋで除することにより求められる。よって、下式（７）で表される。
ScanMain_ij＝PrintMain_ij／Ｋ×１００   …式（７）
同様にして、分割範囲ｙ方向長さScanSub_ijは、下式（８）で表される。
ScanSub_ij＝PrintSub_ij／Ｋ×１００   …式（８）
本実施形態の説明例では、拡縮率Ｋ＝１９９（％）の場合を説明しているため、式（７）および式（８）によって、図９（Ｄ）の表に示す値が算出される。
【００６１】
次に、図７を用いて、２×２のポスター印刷の場合における、分割印刷データの範囲を決定する方法を説明する。まず、重複サイズＯｖｅｒが計算される。重複サイズＯｖｅｒは、はみ出し領域Ｚが存在するために重複して原稿を読んでいる重複部のサイズである。重複サイズＯｖｅｒは、下式（９）で求められる。
Ｏｖｅｒ＝ＬＺ／Ｋ×１００  …式（９）
【００６２】
分割印刷データＳＡ１（ｉ＝１，ｊ＝１）の範囲の決定方法を説明する。分割印刷データＳＡ１の分割開始位置ＳＰ１の座標は、（ｘ、ｙ）＝（ＯＦＦｘ、ＯＦＦｙ）となる。ここでＯＦＦｘおよびＯＦＦｙの値は、スキャナ２０の読取範囲の外周部において読み取りが行われないオフセット値であり、予め定められる値である。よって図７の実線部に示すように、分割印刷データＳＡ１のｘ方向の範囲は、（ＯＦＦｘ）から（ＯＦＦｘ＋ScanMain_11）となる。また、分割印刷データＳＡ１のｙ方向の範囲は、（ＯＦＦｙ）から（ＯＦＦｙ＋ScanSub_11）となる。
【００６３】
次に、分割印刷データＳＡ２（ｉ＝１，ｊ＝２）の範囲の決定方法を説明する。分割印刷データＳＡ２の分割開始位置ＳＰ２のｘ座標は、本来、分割印刷データＳＡ１のｘ方向幅の数値である。しかし、はみ出し領域Ｚを考慮する必要があるため、ふちなし印刷で消えてしまう重複サイズＯｖｅｒ分を戻す処理が行われる。よって、分割開始位置ＳＰ２の座標は、（ｘ、ｙ）＝（ＯＦＦｘ＋ScanMain_11−Ｏｖｅｒ、ＯＦＦｙ）となる。これにより、図７の点線部に示すように、分割印刷データＳＡ２のｘ方向の範囲は、（ＯＦＦｘ＋ScanMain_11−Ｏｖｅｒ）から（ＯＦＦｘ＋ScanMain_11−Ｏｖｅｒ＋ScanMain_21）となる。また、分割印刷データＳＡ２のｙ方向の範囲は、（ＯＦＦｙ）から（ＯＦＦｙ＋ScanSub_21）となる。
【００６４】
このように、重複サイズＯｖｅｒを用いることで、図７に示すように、分割印刷データＳＡ１とＳＡ２との間に、読み取りの重複部が形成される。これにより、分割印刷データＳＡ１でふちなし印刷により印刷されないはみ出し領域の分の分割印刷データが、重複サイズＯｖｅｒとして、分割印刷データＳＡ２に含まれ、分割印刷データＳＡ２で印刷されることになる。よって、はみ出し領域の分の分割印刷データが欠落する事態を防止することができる。
【００６５】
また、分割印刷データＳＡ３（ｉ＝２，ｊ＝１）の範囲の決定方法を説明する。分割開始位置ＳＰ３のｙ座標は、本来、分割印刷データＳＡ１のｙ方向幅の数値である。しかし、ふちなし印刷で消えてしまう重複サイズＯｖｅｒ分を戻す処理が行われる。よって、分割開始位置ＳＰ３の座標は、（ｘ、ｙ）＝（ＯＦＦｘ、ＯＦＦｙ＋ScanSub_11−Ｏｖｅｒ）となる。よって図７の一点鎖線部に示すように、分割印刷データＳＡ３のｘ方向の範囲は、（ＯＦＦｘ）から（ＯＦＦｘ＋ScanMain_12）となる。また、分割印刷データＳＡ３のｙ方向の範囲は、（ＯＦＦｙ＋ScanSub_11−Ｏｖｅｒ）から（ＯＦＦｙ＋ScanSub_11−Ｏｖｅｒ＋ScanSub_12）となる。
【００６６】
また、分割印刷データＳＡ４（ｉ＝２，ｊ＝２）の範囲の決定方法を説明する。分割印刷データＳＡ４では、分割印刷データＳＡ２およびＳＡ３と同様にして、重複サイズＯｖｅｒ分を戻す処理が行われる。よって図７の二点鎖線部に示すように、分割印刷データＳＡ４のｘ方向の範囲は、（ＯＦＦｘ＋ScanMain_11−Ｏｖｅｒ）から（ＯＦＦｘ＋ScanMain_11−Ｏｖｅｒ＋ScanMain_22）となる。また、分割印刷データＳＡ４のｙ方向の範囲は、（ＯＦＦｙ＋ScanSub_11−Ｏｖｅｒ）から（ＯＦＦｙ＋ScanSub_11−Ｏｖｅｒ＋ScanSub_22）の範囲となる。
【００６７】
Ｓ４７において、ＣＰＵ１１は、分割範囲ｘ方向長さScanMain_ij、および、分割範囲ｙ方向長さScanSub_ijの単位を変換する変換動作を行う。具体的には、ミリ単位から、ユーザが指定した読取解像度に対応したピクセル単位への変換が行われる。読取解像度は、スキャナでの読み取り品質を定める値であり、ｘ方向読取解像度ＲＲｘと、ｙ方向読取解像度ＲＲｙによって決定される。読取解像度は、ユーザ等によって予め設定される。例えば、ｘ方向読取解像度ＲＲｘ＝１２００（ｄｐｉ）、ｙ方向読取解像度ＲＲｙ＝２４００（ｄｐｉ）などの値に設定される。
変換後の変換分割範囲ｘ方向長さScanMainPix_ij、および、変換分割範囲ｙ方向長さScanSubPix_ijは、下式（１０）、式（１１）で求められる。
ScanMainPix_ij＝ＲＲｘ×ScanMain_ij／２５．４  …式（１０）
ScanSubPix_ij＝ＲＲｙ×ScanMain_ij／２５．４  …式（１１）
【００６８】
Ｓ４９において、ＣＰＵ１１は、印刷領域ｘ方向長さPrintMain_ij、および、印刷領域ｙ方向長さPrintSub_ijの単位を変換する変換動作を行う。具体的には、ミリ単位から、ユーザが指定した印刷解像度に対応したピクセル単位への変換が行われる。印刷解像度は、印字品質を定める値であり、ｘ方向印刷解像度ＰＲｘと、ｙ方向印刷解像度ＰＲｙによって決まる。印刷解像度は、ユーザ等によって予め設定される。変換後の変換印刷領域ｘ方向長さPrintMainPix_ij、および、変換印刷領域ｙ方向長さPrintSubPix_ijは、下式（１２）、式（１３）で求められる。
PrintMainPix_ij＝ＰＲｘ×PrintMain_ij／２５．４  …式（１２）
PrintSubPix_ij＝ＰＲｙ×PrintSub_ij／２５．４  …式（１３）
【００６９】
Ｓ１１７（図２）に進むと、合成処理および印刷処理が行われる。合成処理では、のりしろ線データをあらかじめフォントデータとして展開しておき、必要に応じてのりしろ線を分割印刷データに合成する処理が行われる。
【００７０】
Ｓ１１７における合成処理および印刷処理を、図５を用いて説明する。Ｓ７１において、ＣＰＵ１１は、印刷を開始する印刷用紙に割り当てられた印刷領域に、のりしろ部Ｘが含まれているか否かを判断する。のりしろ部Ｘが含まれていないと判断される場合（Ｓ７１：ＮＯ）にはＳ７３へ進み、通常印刷処理が行われる。通常印刷処理では、のりしろ線が含まれない分割印刷データが、割り当てられた印刷領域に印刷される。印刷処理が終了すると、フローが終了される。一方、のりしろ部Ｘが含まれていると判断される場合（Ｓ７１：ＹＥＳ）にはＳ７５へ進む。
【００７１】
Ｓ７５において、ＣＰＵ１１は、のりしろ部を形成する領域の分割印刷データの濃度を検出する、原稿濃度検出動作を行う。Ｓ７７において、ＣＰＵ１１は、Ｓ７５で検出されたのりしろ部の原稿濃度が、濃度閾値ＣＴ以上であるか否かを判断する。原稿濃度が濃度閾値ＣＴ以上ではないと判断される場合（Ｓ７７：ＮＯ）には、のりしろ部近傍での印刷濃度が濃く、のりしろ線が存在しなくてものりしろ部の境界が確認できる状態であると判断される。よってＳ７３へ進み、通常印刷処理が行われる。一方、原稿濃度が濃度閾値ＣＴ以上であると判断される場合（Ｓ７７：ＹＥＳ）には、のりしろ部近傍での印刷濃度が薄く、白紙に近い状態であるため、のりしろ線が存在しないとのりしろ部の境界が確認出来ない状態であると判断される。よって、Ｓ７８へ進む。
【００７２】
Ｓ７８ないしＳ９２によって、のりしろ線合成処理および印刷処理が行われる。のりしろ線合成処理および印刷処理では、分割印刷データをラインデータに展開し、ラインデータを１本ずつ印刷する動作が行われる。Ｓ７８において、１本目のラインデータが選択される。Ｓ７９において、ＣＰＵ１１は、選択されたラインデータが、合成終了ラインを超えているか否かが判断される。ここで、合成終了ラインは、ラインデータを順次選択する際において、のりしろ線の合成処理を終了するトリガとなるラインである。合成終了ラインを超えたと判断される場合（Ｓ７９：ＹＥＳ）には、のりしろ線合成処理を行うことなく、Ｓ８９へ進んでライン印刷処理が実行される。一方、合成終了ラインを超えていないと判断される場合（Ｓ７９：ＮＯ）には、Ｓ８３へ進む。Ｓ８３において、ＣＰＵ１１は、選択されたラインデータが、合成開始ラインを超えているか否かを判断する。ここで、合成開始ラインは、ラインデータを順次選択する際において、のりしろ線の合成処理を開始するトリガとなるラインである。合成開始ラインを超えていると判断される場合（Ｓ８３：ＹＥＳ）には、Ｓ８５へ進み、ＣＰＵ１１は、選択されたラインデータのアドレスを取得して、のりしろ線データを合成する処理を行う。そしてＳ８９へ進み、ライン印刷処理が実行される。一方、合成開始ラインを超えていないと判断される場合（Ｓ８３：ＮＯ）には、Ｓ８５を実行せずにＳ８９へ進む。
【００７３】
Ｓ９１において、ＣＰＵ１１は、ライン印刷処理を終了するか否かを判断する。ライン印刷処理を終了は、最後のラインデータが選択されたか否かによって判断される。ライン印刷処理を終了しないと判断される場合（Ｓ９１：ＮＯ）には、Ｓ９２へすすみ、次のラインデータを選択した上で、Ｓ７９へ戻る。一方、ライン印刷処理を終了すると判断される場合（Ｓ９１：ＹＥＳ）には、フローが終了される。これにより、ラインデータを１本ずつ順次印刷する際に、合成開始ラインから合成終了ラインまでの間に含まれるラインデータについて、のりしろ線を含んだ状態で印刷を行う処理が行われる。
【００７４】
これにより、のりしろ部を形成する領域近傍の印刷濃度が薄い場合には、のりしろ部と分割印刷データとの境界を示すのりしろ線が生成される。よって、文章データのように背景が白い場合など、印刷濃度が薄いために印刷データとのりしろ部との境界が分かりにくくなる場合においても、のりしろ線によってのりしろ位置を把握することが可能となる。
【００７５】
Ｓ１１７（図２）が終了すると、Ｓ１２１において、ＣＰＵ１１は、変数ｉが枚数Ｎまで到達したか否かを判断する。到達していないと判断される場合（Ｓ１２１：ＮＯ）にはＳ１２２へ進み、変数ｉを１カウントアップした上でＳ１１５へ戻る。一方、到達していると判断される場合（Ｓ１２１：ＹＥＳ）には、Ｓ１２３へ進む。
【００７６】
Ｓ１２３において、ＣＰＵ１１は、変数ｊが枚数Ｎまで到達したか否かを判断する。到達していないと判断される場合（Ｓ１２３：ＮＯ）にはＳ１２４ヘ進み、変数ｊを１カウントアップした上でＳ１１５へ戻る。一方、到達していると判断される場合（Ｓ１２３：ＹＥＳ）には、フローが終了される。これにより、Ｓ１１５およびＳ１１７のステップを、マトリクス形状に並べられた全ての印刷用紙について１つずつ行うことができる。
【００７７】
このように、図２のフローでは、Ｓ１１５およびＳ１１７のステップが、全ての印刷用紙の枚数分（Ｎ×Ｎ枚分）繰り返される。よって、Ｓ１１５で１の分割印刷データが読み取られる毎に、Ｓ１１７において読み取られた分割印刷データが印刷用紙に印刷され、プリンタ２１から出力される。
【００７８】
以上説明したように、本実施形態に係るＭＦＰ１によれば、ポスター印刷が行われた複数の印刷用紙を、印刷用紙の境界部で重複部を有して重なるようにつなぎ合わせる際に、重複部の上側の印刷用紙にふちなし印刷が行われているため、余白をはさみ等を用いて裁断する必要がない。よってユーザの利便性を高めることができる。また、重複部を有して印刷用紙を重ねる際に、重複部の下側の印刷用紙には、分割印刷データが存在しないのりしろ部Ｘが存在する。よって、印刷データが印刷された領域を２重に重ね合わせることが防止されるため、重複部の印刷領域が濃く見えてしまう事態を防止することができる。
【００７９】
また、本実施形態に係るＭＦＰ１によれば、つなぎ合わせ順番に応じて、重複部にふちなし印刷が行われるのか、または、重複部にのりしろ部Ｘおよびはみ出し領域Ｚを形成するのか、を決定することができる。よって重複部において、ふちなし印刷と、のりしろ部Ｘおよびはみ出し領域Ｚと、の組合せを形成することができるため、余白を裁断する必要性を無くすことができ、ユーザの利便性を高めることができる。
【００８０】
また、本実施形態に係るＭＦＰ１によれば、印刷データの外周縁部と印刷用紙の端部との間に余白部Ｙが形成されるため、ポスター形成時においてポスターの外周縁部がふちなし印刷とされることが防止される。よって、確実に印刷データの全てを印刷することが可能となる。
【００８１】
また、本実施形態に係るＭＦＰ１によれば、分割印刷データがスキャナ２０で読み取られるたびにプリンタ２１で印刷が行われる。よって、プリンタ２１での印刷実行後は、印刷に用いた分割印刷データをＲＡＭ１３に保存し続ける必要がなく消去することができるので、分割印刷データの読み取りに要するメモリ使用量を節約することができる。
【００８２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８３】
本実施形態の図２のフローチャートでは、Ｓ１１５およびＳ１１７のステップがＮ×Ｎ回繰り返される処理順番を説明したが、処理順番はこの方法に限られない。例えば、Ｓ１１５においてＮ×Ｎ個分の分割印刷データを生成し、ＲＡＭ１３に記憶するとしてもよい。そして、Ｓ１１７において、Ｎ×Ｎ枚分の印刷をまとめて実行するとしてもよい。これにより、Ｓ１１５におけるスキャナ２０での読取動作が１回で済むため、ポスター印刷に必要な時間を短縮することが可能となる。
【００８４】
また本実施形態では、余白部Ｙはｘ方向およびｙ方向ともに同じ大きさ（３ｍｍ）である場合を説明した。また、のりしろ部Ｘは、ｘ方向およびｙ方向ともに同じ大きさ（１０ｍｍ）である場合を説明した。しかし、余白部Ｙおよびのりしろ部Ｘにおいて、ｘ方向とｙ方向とで大きさを変えてもよいことは言うまでもない。
【００８５】
また本実施形態では、Ｓ１１５（図２）の分割処理が、ＭＦＰ１で行われる場合を説明したが、この形態に限られず、分割処理をＰＣで行ってもよい。この場合、スキャナ２０で読み取られた印刷データがＰＣへ送信され、ＰＣにおいて印刷データをＮ×Ｎのマトリクス形状に分割して分割印刷データが生成される。そして、生成された分割印刷データをＭＦＰ１に再送信するとしてもよい。
【００８６】
また本実施形態では、ポスター印刷において、Ｎ×Ｎのマトリクス形状に並べられた印刷用紙を用いる場合を説明したが、この形態に限られず、Ｎ×Ｍ（Ｍは１以上の自然数、Ｎ≠Ｍ）のマトリクス形状を用いることも可能であることは言うまでもない。なおＮ×Ｍのマトリクス形状を用いる場合には、原稿の画像が、縦方向または横方向に延ばされるように変形してポスター印刷される場合がある。
【００８７】
なお、ポスターは出力結果の一例、ScanMain_ij、ScanSub_ijは分割印刷データサイズの一例、PaperSizeMainは印刷用紙の第１方向長さの一例、PrintMain_ijは印刷領域の第１方向長さの一例、拡縮率Ｋは拡大率の一例、ScanMain_ijは分割印刷データサイズの第１方向長さの一例、PaperSizeSubは印刷用紙の第２方向長さの一例、PrintSub_ijは印刷領域の第２方向長さの一例、ScanSub_ijは分割印刷データサイズの第２方向長さの一例、PrintMainKaku、PrintSubKakuは合成印刷データの一例、スキャナ２０は読み取り部の一例、である。
【００８８】
また、Ｓ５ないしＳ２１、Ｓ４５、Ｓ１１５を実行する制御部は分割手段の一例である。Ｓ７３、Ｓ８９、Ｓ１１７を実行する制御部は印刷手段の一例である。Ｓ７５を実行する制御部は濃度検出手段の一例である。
【符号の説明】
【００８９】
１ ＭＦＰ
１３  ＲＡＭ
Ｋ  拡縮率
Ｘ  のりしろ部
Ｙ  余白部
Ｚ  はみ出し領域
ＬＡ１ないしＬＡ９  印刷領域
ＳＡ１ないしＳＡ４  分割印刷データ
ScanMain_ij  分割範囲ｘ方向長さ
ScanSub_ij  分割範囲ｙ方向長さ
PaperSizeMain  印刷用紙ｘ方向長さ
PaperSizeSub  印刷用紙ｙ方向長さ
PrintMain_ij  印刷領域ｘ方向長さ
PrintSub_ij  印刷領域ｙ方向長さ
【図１】
2011051100.tif 000003
【図２】
2011051100.tif 000004
【図３】
2011051100.tif 000005
【図４】
2011051100.tif 000006
【図５】
2011051100.tif 000007
【図６】
2011051100.tif 000008
【図７】
2011051100.tif 000009
【図８】
2011051100.tif 000010
【図９】
2011051100.tif 000011